【手続補正書】
【提出日】平成26年11月21日(2014.11.21)
【手続補正１】
【補正対象書類名】特許請求の範囲
【補正対象項目名】全文
【補正方法】変更
【補正の内容】
【特許請求の範囲】
【請求項１】
無線通信システムにおいてユーザー機器によってＡＣＫ／ＮＡＣＫ（ＡＣＫｎｏｗｌｅｄｇｅｍｅｎｔ／ＮｅｇａｔｉｖｅＡＣＫ）情報を伝送する方法であって、前記方法は、
少なくとも一つのＰＤＣＣＨ（Ｐｈｙｓｉｃａｌ  Ｄｏｗｎｌｉｎｋ  Ｃｏｎｔｒｏｌ  ＣＨａｎｎｅｌ）を受信することと、
ＡＣＫ／ＮＡＣＫ反復のためのＰＵＣＣＨ（Ｐｈｙｓｉｃａｌ  Ｕｐｌｉｎｋ  Ｃｏｎｔｒｏｌ  ＣＨａｎｎｅｌ）リソース情報を受信することであって、前記ＰＵＣＣＨリソース情報は、第１のアンテナポートのための第１のＰＵＣＣＨリソース及び第２のアンテナポートのための第２のＰＵＣＣＨリソースを含む、ことと、
前記ＰＤＣＣＨのＣＣＥ（Ｃｏｎｔｒｏｌ  Ｃｈａｎｎｅｌ  Ｅｌｅｍｅｎｔ）インデックスの中の最も低いＣＣＥインデックス「ｎＣＣＥ」から誘導されたＰＵＣＣＨリソースを用いて、前記ＡＣＫ／ＮＡＣＫ情報を前記第１のアンテナポートを通して伝送し、ＣＣＥインデックス「ｎＣＣＥ＋１」から誘導されたＰＵＣＣＨリソースを用いて、前記ＡＣＫ／ＮＡＣＫ情報を前記第２のアンテナポートを通して伝送することによって初期伝送を行うことと、
前記第１のＰＵＣＣＨリソースを用いて、前記ＡＣＫ／ＮＡＣＫ情報を前記第１のアンテナポートを通して反復して伝送し、前記第２のＰＵＣＣＨリソースを用いて、前記ＡＣＫ／ＮＡＣＫ情報を前記第２のアンテナポートを通して反復して伝送することによって反復伝送を行うことと
を含む、方法。
【請求項２】
前記ＡＣＫ／ＮＡＣＫ反復の回数を指示する情報を受信することをさらに含み、
前記反復伝送を行うことは、前記第１のＰＵＣＣＨリソース及び前記第２のＰＵＣＣＨリソースを用いて、「前記ＡＣＫ／ＮＡＣＫ反復の回数−１」回だけ前記ＡＣＫ／ＮＡＣＫ情報を伝送する、請求項１に記載の方法。
【請求項３】
前記ＡＣＫ／ＮＡＣＫ反復の回数及び前記ＰＵＣＣＨリソース情報は、ＲＲＣ（Ｒａｄｉｏ  Ｒｅｓｏｕｒｃｅ  Ｃｏｎｔｒｏｌ）メッセージを通じて受信される、請求項２に記載の方法。
【請求項４】
前記ＰＤＣＣＨが特定ＰＤＳＣＨを指示するＰＤＣＣＨである場合、前記ＡＣＫ／ＮＡＣＫ情報は、前記特定ＰＤＳＣＨに関し、
前記ＰＤＣＣＨが半−持続的スケジューリング（ＳＰＳ）解除を指示するＰＤＣＣＨである場合、前記ＡＣＫ／ＮＡＣＫ情報は、前記ＳＰＳ解除を指示するＰＤＣＣＨに関する、請求項１〜３のいずれか１項に記載の方法。
【請求項５】
前記２個のアンテナポートを通して前記ＡＣＫ／ＮＡＣＫ情報を伝送するように前記ユーザ機器に命令する情報を受信することをさらに含む、請求項１〜３のいずれか１項に記載の方法。
【請求項６】
無線通信システムにおいて基地局によってＡＣＫ／ＮＡＣＫ（ＡＣＫｎｏｗｌｅｄｇｅｍｅｎｔ／ＮｅｇａｔｉｖｅＡＣＫ）情報を受信する方法であって、前記方法は、
ユーザー機器に少なくとも一つのＰＤＣＣＨ（Ｐｈｙｓｉｃａｌ  Ｄｏｗｎｌｉｎｋ  Ｃｏｎｔｒｏｌ  ＣＨａｎｎｅｌ）を伝送することと、
前記ユーザー機器に、ＡＣＫ／ＮＡＣＫ反復のためのＰＵＣＣＨ（Ｐｈｙｓｉｃａｌ  Ｕｐｌｉｎｋ  Ｃｏｎｔｒｏｌ  ＣＨａｎｎｅｌ）リソース情報を伝送することであって、前記ＰＵＣＣＨリソース情報は、前記ユーザー機器の第１のアンテナポートのための第１のＰＵＣＣＨリソース及び前記ユーザー機器の第２のアンテナポートのための第２のＰＵＣＣＨリソースを含む、ことと、
前記ＰＤＣＣＨのＣＣＥ（Ｃｏｎｔｒｏｌ  Ｃｈａｎｎｅｌ  Ｅｌｅｍｅｎｔ）インデックスの中の最も低いＣＣＥインデックス「ｎＣＣＥ」から誘導されたＰＵＣＣＨリソースを用いて、前記第１のアンテナポートから前記ＡＣＫ／ＮＡＣＫ情報を受信し、ＣＣＥインデックス「ｎＣＣＥ＋１」から誘導されたＰＵＣＣＨリソースを用いて、前記第２のアンテナポートから前記ＡＣＫ／ＮＡＣＫ情報を受信することによって初期受信を行うことと、
前記第１のＰＵＣＣＨリソースを用いて、前記第１のアンテナポートから前記ＡＣＫ／ＮＡＣＫ情報を受信し、前記第２のＰＵＣＣＨリソースを用いて、前記第２のアンテナポートから前記ＡＣＫ／ＮＡＣＫ情報を反復して受信することによって反復受信を行うことと
を含む、方法。
【請求項７】
前記ユーザー機器に前記ＡＣＫ／ＮＡＣＫ反復の回数を指示する情報を伝送することをさらに含み、
前記反復受信を行うことは、前記第１のＰＵＣＣＨリソース及び前記第２のＰＵＣＣＨリソースを用いて、「前記ＡＣＫ／ＮＡＣＫ反復の回数−１」回だけ前記ＡＣＫ／ＮＡＣＫ情報を受信する、請求項６に記載の方法。
【請求項８】
前記ＡＣＫ／ＮＡＣＫ反復の回数及び前記ＰＵＣＣＨリソース情報を、ＲＲＣ（Ｒａｄｉｏ  Ｒｅｓｏｕｒｃｅ  Ｃｏｎｔｒｏｌ）メッセージを通じて前記ユーザー機器に伝送することをさらに含む、請求項７に記載の方法。
【請求項９】
前記ＰＤＣＣＨが特定ＰＤＳＣＨを指示するＰＤＣＣＨである場合、前記ＡＣＫ／ＮＡＣＫ情報は、前記特定ＰＤＳＣＨに関し、
前記ＰＤＣＣＨが半−持続的スケジューリング（ＳＰＳ）解除を指示するＰＤＣＣＨである場合、前記ＡＣＫ／ＮＡＣＫ情報は、前記ＳＰＳ解除を指示するＰＤＣＣＨに関する、請求項６〜８のいずれか１項に記載の方法。
【請求項１０】
前記２個のアンテナポートを通して前記ＡＣＫ／ＮＡＣＫ情報を伝送するように前記ユーザ機器に命令する情報を前記ユーザー機器に伝送することをさらに含む、請求項６〜８のいずれか１項に記載の方法。
【請求項１１】
無線通信システムにおいてＡＣＫ／ＮＡＣＫ（ＡＣＫｎｏｗｌｅｄｇｅｍｅｎｔ／ＮｅｇａｔｉｖｅＡＣＫ）情報を伝送するユーザー機器であって、前記ユーザー機器は、
受信器と、
送信器と、
前記受信器及び前記送信器を制御するプロセッサと
を備え、
前記受信器は、少なくとも一つのＰＤＣＣＨ（Ｐｈｙｓｉｃａｌ  Ｄｏｗｎｌｉｎｋ  Ｃｏｎｔｒｏｌ  ＣＨａｎｎｅｌ）を受信し、ＡＣＫ／ＮＡＣＫ反復のためのＰＵＣＣＨ（Ｐｈｙｓｉｃａｌ  Ｕｐｌｉｎｋ  Ｃｏｎｔｒｏｌ  ＣＨａｎｎｅｌ）リソース情報を受信し、前記ＰＵＣＣＨリソース情報は、第１のアンテナポートのための第１のＰＵＣＣＨリソース及び第２のアンテナポートのための第２のＰＵＣＣＨリソースを含み、
前記プロセッサは、前記ＰＤＣＣＨのＣＣＥ（Ｃｏｎｔｒｏｌ  Ｃｈａｎｎｅｌ  Ｅｌｅｍｅｎｔ）インデックスの中の最も低いＣＣＥインデックス「ｎＣＣＥ」から誘導されたＰＵＣＣＨリソースを用いて、前記ＡＣＫ／ＮＡＣＫ情報を前記第１のアンテナポートを通して伝送し、ＣＣＥインデックス「ｎＣＣＥ＋１」から誘導されたＰＵＣＣＨリソースを用いて、前記ＡＣＫ／ＮＡＣＫ情報を前記第２のアンテナポートを通して伝送するように前記送信器を制御することによって初期伝送を行うように前記送信器を制御し、
前記プロセッサは、前記第１のＰＵＣＣＨリソースを用いて、前記ＡＣＫ／ＮＡＣＫ情報を前記第１のアンテナポートを通して反復して伝送し、前記第２のＰＵＣＣＨリソースを用いて、前記ＡＣＫ／ＮＡＣＫ情報を前記第２のアンテナポートを通して反復して伝送するように前記送信器を制御することによって反復伝送を行うように前記送信器を制御する、ユーザー機器。
【請求項１２】
前記受信器は、前記ＡＣＫ／ＮＡＣＫ反復の回数を指示する情報を受信し、前記プロセッサは、前記第１のＰＵＣＣＨリソース及び前記第２のＰＵＣＣＨリソースを用いて「前記ＡＣＫ／ＮＡＣＫ反復の回数−１」回だけ前記反復伝送を行うように前記送信器を制御する、請求項１１に記載のユーザー機器。
【請求項１３】
前記受信器は、前記ＡＣＫ／ＮＡＣＫ反復の回数及び前記ＰＵＣＣＨリソース情報を、ＲＲＣ（Ｒａｄｉｏ  Ｒｅｓｏｕｒｃｅ  Ｃｏｎｔｒｏｌ）メッセージを通じて受信する、請求項１２に記載のユーザー機器。
【請求項１４】
前記ＰＤＣＣＨが特定ＰＤＳＣＨを指示するＰＤＣＣＨである場合、前記ＡＣＫ／ＮＡＣＫ情報は、前記特定ＰＤＳＣＨに関し、
前記ＰＤＣＣＨが半−持続的スケジューリング（ＳＰＳ）解除を指示するＰＤＣＣＨである場合、前記ＡＣＫ／ＮＡＣＫ情報は、前記ＳＰＳ解除を指示するＰＤＣＣＨに関する、請求項１１〜１３のいずれか１項に記載のユーザー機器。
【請求項１５】
前記受信器は、前記２個のアンテナポートを通して前記ＡＣＫ／ＮＡＣＫ情報を伝送するように前記ユーザ機器に命令する情報を受信する、請求項１１〜１３のいずれか１項に記載のユーザー機器。
【請求項１６】
無線通信システムにおいてＡＣＫ／ＮＡＣＫ（ＡＣＫｎｏｗｌｅｄｇｅｍｅｎｔ／ＮｅｇａｔｉｖｅＡＣＫ）情報を受信する基地局であって、前記基地局は、
受信器と、
送信器と、
前記受信器及び前記送信器を制御するプロセッサと
を備え、
前記プロセッサは、ユーザー機器に少なくとも一つのＰＤＣＣＨ（Ｐｈｙｓｉｃａｌ  Ｄｏｗｎｌｉｎｋ  Ｃｏｎｔｒｏｌ  ＣＨａｎｎｅｌ）を伝送し、前記ユーザー機器に、ＡＣＫ／ＮＡＣＫ反復のためのＰＵＣＣＨ（Ｐｈｙｓｉｃａｌ  Ｕｐｌｉｎｋ  Ｃｏｎｔｒｏｌ  ＣＨａｎｎｅｌ）リソース情報を伝送するように前記送信器を制御し、前記ＰＵＣＣＨリソース情報は、前記ユーザー機器の第１のアンテナポートのための第１のＰＵＣＣＨリソース及び前記ユーザー機器の第２のアンテナポートのための第２のＰＵＣＣＨリソースを含み、
前記プロセッサは、前記ＰＤＣＣＨのＣＣＥ（Ｃｏｎｔｒｏｌ  Ｃｈａｎｎｅｌ  Ｅｌｅｍｅｎｔ）インデックスの中の最も低いＣＣＥインデックス「ｎＣＣＥ」から誘導されたＰＵＣＣＨリソースを用いて、前記第１のアンテナポートから前記ＡＣＫ／ＮＡＣＫ情報を受信し、ＣＣＥインデックス「ｎＣＣＥ＋１」から誘導されたＰＵＣＣＨリソースを用いて、前記第２のアンテナポートから前記ＡＣＫ／ＮＡＣＫ情報を受信するように前記受信器を制御することによって初期受信を行うように前記受信器を制御し、
前記プロセッサは、前記第１のＰＵＣＣＨリソースを用いて、前記第１のアンテナポートから前記ＡＣＫ／ＮＡＣＫ情報を反復して受信し、前記第２のＰＵＣＣＨリソースを用いて、前記第２のアンテナポートから前記ＡＣＫ／ＮＡＣＫ情報を反復して受信するように前記受信器を制御することによって反復受信を行うように前記受信器を制御する、基地局。
【請求項１７】
前記プロセッサは、前記ユーザー機器に前記ＡＣＫ／ＮＡＣＫ反復の回数を指示する情報を伝送するように前記送信器を制御し、前記第１のＰＵＣＣＨリソース及び前記第２のＰＵＣＣＨリソースを用いて「前記ＡＣＫ／ＮＡＣＫ反復の回数−１」回だけ前記ＡＣＫ／ＮＡＣＫ情報を反復的に受信するように前記受信器を制御する、請求項１６に記載の基地局。
【請求項１８】
前記プロセッサは、前記ＡＣＫ／ＮＡＣＫ反復の回数及び前記ＰＵＣＣＨリソース情報を、ＲＲＣ（Ｒａｄｉｏ  Ｒｅｓｏｕｒｃｅ  Ｃｏｎｔｒｏｌ）メッセージを通じて前記ユーザー機器に伝送する、請求項１７に記載の基地局。
【請求項１９】
前記ＰＤＣＣＨが特定ＰＤＳＣＨを指示するＰＤＣＣＨである場合、前記ＡＣＫ／ＮＡＣＫ情報は、前記ＰＤＳＣＨに関し、
前記ＰＤＣＣＨが半−持続的スケジューリング（ＳＰＳ）解除を指示するＰＤＣＣＨである場合、前記ＡＣＫ／ＮＡＣＫ情報は、前記ＳＰＳ解除を指示する、請求項１６〜１８のいずれか１項に記載の基地局。
【請求項２０】
前記プロセッサは、前記２個のアンテナポートによって引き起こされるＡＣＫ／ＮＡＣＫ情報の伝送を指示する情報を前記ユーザー機器に伝送する、請求項１６〜１８のいずれか１項に記載の基地局。
【手続補正２】
【補正対象書類名】明細書
【補正対象項目名】００１４
【補正方法】変更
【補正の内容】
【００１４】
上記の課題の解決方法は、本発明の実施例の一部に過ぎず、本願発明の技術的特徴が反映された種々の実施例が、当該技術の分野における通常の知識を有する者にとっては、以下に記載される本発明の詳細な説明から導出され理解されるであろう。
本願明細書は、例えば、以下の項目も提供する。
（項目１）
無線通信システムにおいてユーザー機器が基地局にＡＣＫ／ＮＡＣＫ（ＡＣＫｎｏｗｌｅｇｅｍｅｎｔ／ＮｅｇａｔｉｖｅＡＣＫ）情報を伝送する方法であって、
前記基地局から少なくとも一つのＰＤＣＣＨ（Ｐｈｙｓｉｃａｌ  Ｄｏｗｎｌｉｎｋ  Ｃｏｎｔｒｏｌ  ＣＨａｎｎｅｌ）を受信することと、
前記基地局から、ＡＣＫ／ＮＡＣＫ反復のための、第１アンテナポートのための第１ＰＵＣＣＨリソース及び第２アンテナポートのための第２ＰＵＣＣＨリソースを指示する情報を含むＰＵＣＣＨ（Ｐｈｙｓｉｃａｌ  Ｕｐｌｉｎｋ  Ｃｏｎｔｒｏｌ  ＣＨａｎｎｅｌ）リソース情報を受信することと、
前記ＰＤＣＣＨのＣＣＥ（Ｃｏｎｔｒｏｌ  Ｃｈａｎｎｅｌ  Ｅｌｅｍｅｎｔ）インデックスのうち、最も低いＣＣＥインデックスｎＣＣＥから誘導されたＰＵＣＣＨリソースを用いて、前記ＡＣＫ／ＮＡＣＫ情報を前記第１アンテナポートを通して前記基地局に伝送し、ｎＣＣＥ＋１から誘導されたＰＵＣＣＨリソースを用いて、前記ＡＣＫ／ＮＡＣＫ情報を前記第２アンテナポートを通して前記基地局に伝送する、初期伝送を行うことと、
前記第１ＰＵＣＣＨリソースを用いて、前記ＡＣＫ／ＮＡＣＫ情報を前記第１アンテナポートを通して前記基地局に反復して伝送し、前記第２ＰＵＣＣＨリソースを用いて、前記ＡＣＫ／ＮＡＣＫ情報を前記第２アンテナポートを通して前記基地局に反復して伝送する、反復伝送を行うことと、
を具備する、ＡＣＫ／ＮＡＣＫ情報伝送方法。
（項目２）
前記基地局から、前記ＡＣＫ／ＮＡＣＫ反復の回数を表す情報を受信することをさらに具備し、
前記反復伝送は、前記第１ＰＵＣＣＨリソース及び前記第２ＰＵＣＣＨリソースを用いて前記回数−１回前記ＡＣＫ／ＮＡＣＫ情報を伝送する、
項目１に記載のＡＣＫ／ＮＡＣＫ情報伝送方法。
（項目３）
前記ＡＣＫ／ＮＡＣＫ反復の回数と前記ＰＵＣＣＨリソース情報を、ＲＲＣ（Ｒａｄｉｏ  Ｒｅｓｏｕｒｃｅ  Ｃｏｎｔｒｏｌ）メッセージを通じて前記基地局から受信することをさらに具備する、項目２に記載のＡＣＫ／ＮＡＣＫ情報伝送方法。
（項目４）
前記ＰＤＣＣＨが特定ＰＤＳＣＨを指示するＰＤＣＣＨであれば、前記ＡＣＫ／ＮＡＣＫ情報は、前記ＰＤＳＣＨに関するものであり、
前記ＰＤＣＣＨが下りリンク半−持続的スケジューリング（Ｓｅｍｉ−Ｓｔａｔｉｃ  Ｓｃｈｅｄｕｌｉｎｇ、ＳＰＳ）解除を指示するＰＤＣＣＨであれば、前記ＡＣＫ／ＮＡＣＫ情報は、前記ＳＰＳ解除を指示する前記ＰＤＣＣＨに関するものである、項目１〜３のいずれか１項に記載のＡＣＫ／ＮＡＣＫ情報伝送方法。
（項目５）
前記基地局から、前記２個のアンテナポートによるＡＣＫ／ＮＡＣＫ情報の伝送を指示する情報を受信することをさらに具備する、項目１〜３のいずれか１項に記載のＡＣＫ／ＮＡＣＫ情報伝送方法。
（項目６）
無線通信システムにおいて基地局がユーザー機器からＡＣＫ／ＮＡＣＫ（ＡＣＫｎｏｗｌｅｇｅｍｅｎｔ／ＮｅｇａｔｉｖｅＡＣＫ）情報を受信する方法であって、
前記ユーザー機器に少なくとも一つのＰＤＣＣＨ（Ｐｈｙｓｉｃａｌ  Ｄｏｗｎｌｉｎｋ  Ｃｏｎｔｒｏｌ  ＣＨａｎｎｅｌ）を伝送することと、
前記ユーザー機器に、ＡＣＫ／ＮＡＣＫ反復のための、前記ユーザー機器の第１アンテナポートのための第１ＰＵＣＣＨリソース及び前記ユーザー機器の第２アンテナポートのための第２ＰＵＣＣＨリソースを指示する情報を含むＰＵＣＣＨ（Ｐｈｙｓｉｃａｌ  Ｕｐｌｉｎｋ  Ｃｏｎｔｒｏｌ  ＣＨａｎｎｅｌ）リソース情報を伝送することと、
前記ＰＤＣＣＨのＣＣＥ（Ｃｏｎｔｒｏｌ  Ｃｈａｎｎｅｌ  Ｅｌｅｍｅｎｔ）インデックスのうち、最も低いＣＣＥインデックスｎＣＣＥから誘導されたＰＵＣＣＨリソースを用いて、前記第１アンテナポートから前記ＡＣＫ／ＮＡＣＫ情報を受信し、ｎＣＣＥ＋１から誘導されたＰＵＣＣＨリソースを用いて、前記第２アンテナポートから前記ＡＣＫ／ＮＡＣＫ情報を受信する、初期受信を行うことと、
前記第１ＰＵＣＣＨリソースを用いて、前記第１アンテナポートから前記ＡＣＫ／ＮＡＣＫ情報を反復して受信し、前記第２ＰＵＣＣＨリソースを用いて、前記第２アンテナポートから前記ＡＣＫ／ＮＡＣＫ情報を反復して受信する、反復受信を行うことと、
を具備するＡＣＫ／ＮＡＣＫ情報受信方法。
（項目７）
前記ユーザー機器に前記ＡＣＫ／ＮＡＣＫ反復の回数を表す情報を伝送することをさらに具備し、
前記反復受信は、前記第１ＰＵＣＣＨリソース及び前記第２ＰＵＣＣＨリソースを用いて前記回数−１回前記ＡＣＫ／ＮＡＣＫ情報を受信する、項目６に記載のＡＣＫ／ＮＡＣＫ情報受信方法。
（項目８）
前記ＡＣＫ／ＮＡＣＫ反復の回数と前記ＰＵＣＣＨリソース情報を、ＲＲＣ（Ｒａｄｉｏ  Ｒｅｓｏｕｒｃｅ  Ｃｏｎｔｒｏｌ）メッセージを通じて前記ユーザー機器に伝送することをさらに具備する、項目７に記載のＡＣＫ／ＮＡＣＫ情報受信方法。
（項目９）
前記ＰＤＣＣＨが特定ＰＤＳＣＨを指示するＰＤＣＣＨであれば、前記ＡＣＫ／ＮＡＣＫ情報は、前記ＰＤＳＣＨに関するものであり、
前記ＰＤＣＣＨが下りリンク半−持続的スケジューリング（Ｓｅｍｉ−Ｓｔａｔｉｃ  Ｓｃｈｅｄｕｌｉｎｇ、ＳＰＳ）解除を指示するＰＤＣＣＨであれば、前記ＡＣＫ／ＮＡＣＫ情報は、前記ＳＰＳ解除を指示する前記ＰＤＣＣＨに関するものである、項目６〜８のいずれか１項に記載のＡＣＫ／ＮＡＣＫ情報受信方法。
（項目１０）
前記２個のアンテナポートによるＡＣＫ／ＮＡＣＫ情報の伝送を指示する情報を前記ユーザー機器に伝送することをさらに具備する、項目６〜８のいずれか１項に記載のＡＣＫ／ＮＡＣＫ情報受信方法。
（項目１１）
無線通信システムにおいて基地局にＡＣＫ／ＮＡＣＫ（ＡＣＫｎｏｗｌｅｇｅｍｅｎｔ／ＮｅｇａｔｉｖｅＡＣＫ）情報を伝送するユーザー機器であって、
受信器と、
送信器と、
前記受信器及び前記送信器を制御するプロセッサと、を備え、
前記受信器は、前記基地局から少なくとも一つのＰＤＣＣＨ（Ｐｈｙｓｉｃａｌ  Ｄｏｗｎｌｉｎｋ  Ｃｏｎｔｒｏｌ  ＣＨａｎｎｅｌ）を受信し、前記基地局から、ＡＣＫ／ＮＡＣＫ反復のための、第１アンテナポートのための第１ＰＵＣＣＨリソース及び第２アンテナポートのための第２ＰＵＣＣＨリソースを指示する情報を含むＰＵＣＣＨ（Ｐｈｙｓｉｃａｌ  Ｕｐｌｉｎｋ  Ｃｏｎｔｒｏｌ  ＣＨａｎｎｅｌ）リソース情報を受信するように構成され、
前記プロセッサは、
前記ＰＤＣＣＨのＣＣＥ（Ｃｏｎｔｒｏｌ  Ｃｈａｎｎｅｌ  Ｅｌｅｍｅｎｔ）インデックスのうち、最も低いＣＣＥインデックスｎＣＣＥから誘導されたＰＵＣＣＨリソースを用いて、前記ＡＣＫ／ＮＡＣＫ情報を前記第１アンテナポートを通して前記基地局に伝送し、ｎＣＣＥ＋１から誘導されたＰＵＣＣＨリソースを用いて、前記ＡＣＫ／ＮＡＣＫ情報を前記第２アンテナポートを通して前記基地局に伝送する、初期伝送を行うように前記送信器を制御し、
前記第１ＰＵＣＣＨリソースを用いて、前記ＡＣＫ／ＮＡＣＫ情報を前記第１アンテナポートを通して前記基地局に反復して伝送し、前記第２ＰＵＣＣＨリソースを用いて、前記ＡＣＫ／ＮＡＣＫ情報を前記第２アンテナポートを通して前記基地局に反復して伝送する、反復伝送を行うように前記送信器を制御する、
ユーザー機器。
（項目１２）
前記受信器は、前記基地局から前記ＡＣＫ／ＮＡＣＫ反復の回数を表す情報を受信し、
前記プロセッサは、前記第１ＰＵＣＣＨリソース及び前記第２ＰＵＣＣＨリソースを用いて前記回数−１回前記反復伝送を行うように前記送信器を制御する、項目１１に記載のユーザー機器。
（項目１３）
前記受信器は、前記ＡＣＫ／ＮＡＣＫ反復の回数と前記ＰＵＣＣＨリソース情報を、ＲＲＣ（Ｒａｄｉｏ  Ｒｅｓｏｕｒｃｅ  Ｃｏｎｔｒｏｌ）メッセージを通じて前記基地局から受信する、項目１２に記載のユーザー機器。
（項目１４）
前記ＰＤＣＣＨが特定ＰＤＳＣＨを指示するＰＤＣＣＨであれば、前記ＡＣＫ／ＮＡＣＫ情報は、前記ＰＤＳＣＨに関するものであり、
前記ＰＤＣＣＨが下りリンク半−持続的スケジューリング（Ｓｅｍｉ−Ｓｔａｔｉｃ  Ｓｃｈｅｄｕｌｉｎｇ、ＳＰＳ）解除を指示するＰＤＣＣＨであれば、前記ＡＣＫ／ＮＡＣＫ情報は、前記ＳＰＳ解除を指示する前記ＰＤＣＣＨに関するものである、
項目１１〜１３のいずれか１項に記載のユーザー機器。
（項目１５）
前記受信器は、前記基地局から前記２個のアンテナポートによるＡＣＫ／ＮＡＣＫ情報の伝送を指示する情報を受信する、項目１１〜１３のいずれか１項に記載のユーザー機器。
（項目１６）
無線通信システムにおいてユーザー機器からＡＣＫ／ＮＡＣＫ（ＡＣＫｎｏｗｌｅｇｅｍｅｎｔ／ＮｅｇａｔｉｖｅＡＣＫ）情報を受信する基地局であって、
受信器と、
送信器と、
前記受信器及び前記送信器を制御するように構成されたプロセッサと、を備え、
前記プロセッサは、
前記ユーザー機器に少なくとも一つのＰＤＣＣＨ（Ｐｈｙｓｉｃａｌ  Ｄｏｗｎｌｉｎｋ  Ｃｏｎｔｒｏｌ  ＣＨａｎｎｅｌ）を伝送するように前記送信器を制御し、前記ユーザー機器に、ＡＣＫ／ＮＡＣＫ反復のための、前記ユーザー機器の第１アンテナポートのための第１ＰＵＣＣＨリソース及び前記ユーザー機器の第２アンテナポートのための第２ＰＵＣＣＨリソースを指示する情報を含むＰＵＣＣＨ（Ｐｈｙｓｉｃａｌ  Ｕｐｌｉｎｋ
Ｃｏｎｔｒｏｌ  ＣＨａｎｎｅｌ）リソース情報を伝送するように前記送信器を制御し、
前記ＰＤＣＣＨのＣＣＥ（Ｃｏｎｔｒｏｌ  Ｃｈａｎｎｅｌ  Ｅｌｅｍｅｎｔ）インデックスのうち、最も低いＣＣＥインデックスｎＣＣＥから誘導されたＰＵＣＣＨリソースを用いて、前記第１アンテナポートから前記ＡＣＫ／ＮＡＣＫ情報を受信し、ｎＣＣＥ＋１から誘導されたＰＵＣＣＨリソースを用いて、前記第２アンテナポートから前記ＡＣＫ／ＮＡＣＫ情報を受信する、初期受信を行うように前記受信器を制御し、
前記第１ＰＵＣＣＨリソースを用いて、前記第１アンテナポートから前記ＡＣＫ／ＮＡＣＫ情報を反復して受信し、前記第２ＰＵＣＣＨリソースを用いて、前記第２アンテナポートから前記ＡＣＫ／ＮＡＣＫ情報を反復して受信する、反復受信を行うように前記受信器を制御する、
基地局。
（項目１７）
前記プロセッサは、前記ユーザー機器に前記ＡＣＫ／ＮＡＣＫ反復の回数を表す情報を伝送するように前記送信器を制御し、
前記第１ＰＵＣＣＨリソース及び前記第２ＰＵＣＣＨリソースを用いて前記回数−１回前記ＡＣＫ／ＮＡＣＫ情報を反復的に受信するように前記受信器を制御する、項目６に記載の基地局。
（項目１８）
前記プロセッサは、前記ＡＣＫ／ＮＡＣＫ反復の回数と前記ＰＵＣＣＨリソース情報を、ＲＲＣ（Ｒａｄｉｏ  Ｒｅｓｏｕｒｃｅ  Ｃｏｎｔｒｏｌ）メッセージを通じて前記ユーザー機器に伝送するように前記送信器を制御する、項目１７に記載の基地局。
（項目１９）
前記ＰＤＣＣＨが特定ＰＤＳＣＨを指示するＰＤＣＣＨであれば、前記ＡＣＫ／ＮＡＣＫ情報は、前記ＰＤＳＣＨに関するものであり、
前記ＰＤＣＣＨが下りリンク半−持続的スケジューリング（Ｓｅｍｉ−Ｓｔａｔｉｃ  Ｓｃｈｅｄｕｌｉｎｇ、ＳＰＳ）解除を指示するＰＤＣＣＨであれば、前記ＡＣＫ／ＮＡＣＫ情報は、前記ＳＰＳ解除を指示する前記ＰＤＣＣＨに関するものである、項目１６〜１８のいずれか１項に記載の基地局。
（項目２０）
前記プロセッサは、前記２個のアンテナポートによるＡＣＫ／ＮＡＣＫ情報の伝送を指示する情報を前記ユーザー機器に伝送するように前記送信器を制御する、項目１６〜１８のいずれか１項に記載の基地局。